(57)【特許請求の範囲】
【請求項１】
一対のエアゾール容器（３，４）をそのステムを隠した態様に隣接拘束する外装カバー（２７）上端内に、オリフィス部（１９）を突き出す態様にて該ステムからの２剤を途中で混合させることなく個々に吐出させるノズル（１７）を落し込み装着させ、ノズル（１７）を外装カバー（２７）の前部に枢止点を確保し、ノズル（１７）上面を覆う押し下げレバー（３２）によってその一方向の回動でステムに対し押圧操作するとし、逆方向の回動でノズル（１７）の外装カバー（２７）からの取り出しを可能とした２剤吐出容器において、
上記のノズル（１７）を、ノズル基部（１７a）の底（１８）後縁にてオリフィス部（１９）と仕切板（２０）を有した上半部（２１）をヒンジ結合すると共にノズル基部底（１８）を内リブ状に立ち上げのうえ当該立ち上げ部（２２）に該仕切板（２０）嵌入溝（２０’）並びに対ステム用垂下筒（２３a、２３b）を配設するものとして、展開可能で非展開時のシール作用が栓効果を有するものとし、
上記の外装カバー（２７）の前面上縁に下方開口の軸受けフック（２４）を付設し、
上記押し下げレバー（３２）を、該ノズル（１７）の基部（１７a）に遊嵌する有天筒体（２８）の前面に該軸受けフック（２４）に係合するヒンジ軸（２９）を配設すると共に該オリフィス部（１９）突き出し用の切り欠き（３０）を設け、頂面中央後端に押し下げ用指当て（３１）、頂面内面にステム担当部位に突起（３８a、３８b）並びに先端にアンダーカット（３６）を付設した垂下腕（３７）を有するものとした２剤吐出容器。
【請求項２】
外装カバー（２７）の軸受けフック（２４）と押し下げレバー（３２）のヒンジ軸（２９）とを外装カバー（２７）の前面ライン内に収めるとした請求項１記載の２剤吐出容器。
【請求項３】
外装カバー（２７）上部外周を縮径段付き部（３３）に形成し、ここにノズル（１７）のオリフィス部逃げ用開口（３４）を設けたキャップ（３５）を装着した請求項１または２いずれかの１項に記載の２剤吐出容器。
【発明の詳細な説明】
【０００１】
【発明の属する技術分野】
本発明は、吐出容器、詳しくは２容器の内容物２剤を途中で混合させることなく個々にノズル先端より吐出させる２剤吐出容器に関する。
【０００２】
【従来の技術】
この種の一対のエアゾール容器をそのステムを隠した態様に隣接拘束する外装カバー上端内に、オリフィス部を突き出す態様にて該ステムからの２剤を途中で混合させることなく個々に吐出させるノズルを落し込み装着させ、当該ノズルを該外装カバーに枢止点を確保した押し下げレバーによってステムに対し押圧操作するとした２剤吐出容器の提案としては特開平１１−５９７４６号がある。
【０００３】
すなわち、図１０に示す如く、２剤吐出容器１は、ステム２ａ及び２ｂが設けられた第１容器３及び第２容器４と、ステム２ａ及び２ｂに係合し、ステム２ａ及び２ｂと共に上下動可能なノズル５と、ノズル５をステム２ａ及び２ｂに係合させるための挿通口６ａ及び６ｂを有し、両容器と係合するカバー７と、カバー７に取り付けられ、ノズル５に当接してノズル５及びステム２ａ及び２ｂを上方から押し下げ可能なレバー８とを備えている。当該ノズル５における誘導路は各容器３、４の内容物を個々に導くために仕切板９で区画されていると共に対ステム２ａ、２ｂ係合のために底面より垂下筒１０ａ、１０ｂを垂設している。この２剤吐出容器１を使用中にノズル内部でクリーム状の染毛剤が詰まりを起こしても（染毛剤は染毛第１剤と染毛第２剤とを混合させて染毛効果を発揮させることができる。よって、第１剤と第２剤とが一定の比率を保つように同時に射出されることを要する。ところが、例えばエアゾール容器の中で、染毛剤と噴射剤とが混合して射出される２剤吐出容器では、射出される染毛剤が泡状（気泡状）となるので、ノズル内において詰まることはほとんど無いのであるが、しかし、エアゾール容器の中で、クリーム状の染毛剤と噴射剤とを、内袋を介して隔てられるように構成された２剤吐出容器では、クリーム状の染毛剤がそのまま射出されるために、ノズルの誘導路内において噴出されずに残った染毛剤が詰まることがある。）、ノズル５がカバー７の上から挿通口６ａ及び６ｂを通してステム２ａ及び２ｂに係合されていることから、ノズル５をステム２ａ及び２ｂから取り出して（引き上げて）洗浄することで、クリーム状の染毛剤の詰まりを解消することができる、としたものである。
【０００４】
叙上洗浄は次の如くなされる。
すなわち、図１１に示される洗浄器１１を用いる。洗浄器１１は、水などの流体を吸入排出することが可能なポンプ部と、ノズルの垂下筒１０ａ、１０ｂへ装着可能に形成され、ポンプ部１１ａが吸入排出する流体をノズル５の内部に流通させる流通路１１ｂと、を備えている。
【０００５】
ポンプ部１１ａは、蛇腹１２を備えて、その蛇腹１２を伸縮させることで、水などを吸入排出することができ、蛇腹１２の一端に嵌合部１３によって、流通路１１ｂに嵌合させることができる。流通路１１ｂは、ポンプ部１１ａの嵌合部１３に嵌合される嵌合口１４と、嵌合口１４から二股に分かれて、その先端にノズル５の垂下筒１０ａ、１０ｂを装着できる装着口１５ａ、１５ｂを有する管部１６と、を備えている。
【０００６】
洗浄方法は、まず、２剤吐出容器１から取り外したノズル５の垂下筒１０ａ、１０ｂを洗浄器１１の装着口１５ａ、１５ｂに係合させる。
【０００７】
そして、洗浄器１１をノズル５と共に水などに漬け、そして、ノズル５と洗浄器１１との間を水が流通するように蛇腹１２を伸縮させる。さらに、蛇腹１２の伸縮を数度繰り返す。このようにノズル５の洗浄に洗浄器１１を用いることで、ノズル５に詰まったクリーム状の染毛剤を、手間をかけずに完全に取り除くことができる、としている。
【０００８】
また、洗浄器１１に頼ることなくしても存分の洗浄を可能とすべく、種々のノズル５の展開構成例を図１２、１３に示す如く紹介している。
【０００９】
すなわち、図１０、１３にあっては、ノズル５の基部５ａの嵌合方式の鉛直分割、水平分割であり、図１２ａ、ｂにあっては、ヒンジ方式の鉛直分割、水平分割である。
【００１０】
【発明が解決しようとする課題】
しかるに、叙上の展開可能構成の提案には以下に述べる不具合がある。
【００１１】
ノズル５の基部５ａはステム２ａ、２ｂからの内容物の噴射を溜めるいわば閉空間プールであり、高い内圧となるが、この閉空間室の単なる輪切り分割部の突き合わせで構成のシール効果には信頼が期し得ない。
【００１２】
すなわち、分割展開を前提とするもとで、図１０のものにあっては輪切り口同志の単なる突き合わせのためシール不全は明らかであり、同タイプの図１３のものにあっては図１０の場合と異なりレバー８の押し下げ力が働く有利はあるとはいえ、ラップシール部の貧弱さは、これでもって補完されるものではない。
【００１３】
図１２ａのものにあっては既述の図１０の場合と全く同じであり、図１２ｂのものにあっては既述の図１３の場合と全く同じである。
【００１４】
また、ノズル５の回収はレバー８の干渉を除いた後にカバー７の凹部より引き上げにてなされるものであって、極めて煩わしい。
【００１５】
本発明は叙上の事情に鑑みなされたもので、その目的とするところは、洗浄のために展開可能に分割されるノズル基部のシール効果を合理的に確保し、さらに、ノズルの取り出しが迅速になし得る２容器の内容物２剤を個々に吐出させる２剤吐出器を提供することにある。
【００１６】
【課題を解決するための手段】
上記目的を達成するために、本発明の２剤吐出容器は、一対のエアゾール容器３，４をそのステムを隠した態様に隣接拘束する外装カバー２７上端内に、オリフィス部１９を突き出す態様にて該ステムからの２剤を途中で混合させることなく個々に吐出させるノズル１７を落し込み装着させ、ノズル１７を外装カバー２７の前部に枢止点を確保し、ノズル１７上面を覆う押し下げレバー３２によってその一方向の回動でステムに対し押圧操作するとし、逆方向の回動でノズル１７の外装カバー２７からの取り出しを可能とした２剤吐出容器において、
上記のノズル１７を、ノズル基部１７aの底１８後縁にてオリフィス部１９と仕切板２０を有した上半部２１をヒンジ結合すると共にノズル基部底１８を内リブ状に立ち上げのうえ当該立ち上げ部２２に該仕切板２０嵌入溝２０’並びに対ステム用垂下筒２３a、２３bを配設するものとして、展開可能で非展開時のシール作用が栓効果を有するものとし、
上記の外装カバー２７の前面上縁に下方開口の軸受けフック２４を付設し、
上記押し下げレバー３２を、該ノズル１７の基部１７aに遊嵌する有天筒体２８の前面に該軸受けフック２４に係合するヒンジ軸２９を配設すると共に該オリフィス部１９突き出し用の切り欠き３０を設け、頂面中央後端に押し下げ用指当て３１、頂面内面にステム担当部位に突起３８a、３８b並びに先端にアンダーカット３６を付設した垂下腕３７を有するものとして、ノズル１７におけるシール不全の心配がなく、さらには、ノズル１７取り出しが容易になし得る利点を有するとしたものである。

【００１７】
さらに押し下げレバーより先端にアンダーカット３６を設けた垂下腕３７を持ち出してノズル１７を抱持一体化することによって、押し下げレバー３２回動で簡単にノズル１７の取り出しがなし得るものとしたものである。

【００１８】
【作用】
ノズル基部底１８の内リブ状の立ち上がりは、仕切板２０を有したノズル１７上半部の開口部に対してあたかも栓状にシール作用する。
【００１９】
このシール効果は、閉空間の輪切り開口同志を突き合いさせて得られるシールとは全く異質の高度のものとなる。
【００２０】
押し下げレバー３２に一体化されるノズル１７は、その取り出しに際し、レバー押し下げ３２の回動で取り出しの容易な露呈位置に持ち上げられるので便利である。
【００２１】
【発明の実施の形態】
本発明の実施の態用を図１〜９に基づいて説明する。
【００２２】
本発明におけるノズル１７は、その基部１７ａの底１８後縁にて、オリフィス部１９と仕切板２０を有した上半部２１をヒンジ結合すると共に該底１８は内リブ状に立ち上げ部２２に付形し、当該立ち上げ部２２に該仕切板２０の嵌入溝２０′並びに対ステム用垂下筒２３ａ、２３ｂを配設して成る。
【００２３】
しかして、展開洗浄は当然のことながら可能となっており、非展開に際しては、該立ち上げ部２２が該上半部２１の開口に対してあたかも栓として嵌入する。かかる栓作用のシールは極めて確実であり、基部１７ａにおいてのシール不全は生じ得ない。
【００２４】
同図実施例にあっては、前面上縁にヒンジ軸受けフック２４を付設し、上、下階区画フロア２５にエアゾール容器のステム覗き用挿通孔２６ａ、２６ｂを穿設の外装カバー２７と、該ノズル１７基部１７ａに遊嵌する有天筒体２８の前面に該軸受けフック２４に係合するヒンジ軸２９を持ち出しすると共に該オリフィス部１９突き出し用の切り欠き３０を設け、頂面中央後端に押し下げ用指当て３１、頂面内面にステム担当部位に突起３８ａ、３８ｂを有したレバー３２と、該外装カバー２７の上部外周の縮径段付き部３３に装着される該オリフィス部１９逃げ用開口３４を設けたキャップ３５が紹介されている。
【００２５】
叙上レバー３２は周知の如く２剤の均等吐出を可能とする配慮が施されたものであり、かつ、対外装カバー２７との間の枢止点確保上の成型上の利点（分離体とした）を配慮している。
【００２６】
キャップ３５は、当然のことながらレバー３２を覆うので、流通、保管時の予期しない衝撃で誤って吐出が生じない配慮である。
【００２７】
図１中に紹介の部品でもって構成の２剤吐出容器の詳細が図２〜５に示され、同図３〜５において、図１中であらわされることのない押し下げレバー３２の頂面内面よりアンダーカット３６を設けた垂下腕３７が持ち出され、ノズル１７を抱持一体化した構成が示されている。
【００２８】
該図２〜５のタイプでは、軸受けフック２４とヒンジ軸２９の枢止部が容器前面に突出するが、図６〜９のタイプはこれを嫌い当該枢止部を容器前面ライン内に収めた。引っ掛かりを少なくするためである。
【００２９】
両タイプは図４a、図８aに示される如く押し下げレバー３２の取り出しに際しての動き（外す）に多少の違いが生じる（図８aにあっては奥まった分、水平動が必要となる）。

【００３０】
【発明の効果】
本発明の２剤吐出容器は上記の如く構成されるので、ノズルにおけるシール不全の心配がなく、さらには、ノズル取り出しが容易になし得る利点を有する。
【図面の簡単な説明】
【図１】本発明の２剤吐出容器の要部詳示展開図である。
【図２】ａ〜ｃは、本発明容器の平、正、側面図である。
【図３】本発明容器の半断正面図である。
【図４】ａは本発明容器レバー回動説明図、レバー閉時の平面図である。
【図５】ａ、ｂは図４中Ａ′−Ａ、Ｂ′−Ｂ矢視断面図である。
【図６】ａ〜ｃは本発明容器の平、正、側面図である。
【図７】本発明容器の半断正面図である。
【図８】ａは本発明容器レバー回動説明図、レバー閉時の平面図である。
【図９】ａ、ｂは図４中Ａ′−Ａ、Ｂ′−Ｂ矢視断面図である。
【図１０】従来の２剤吐出容器の展開説明図である。
【図１１】従来の２剤吐出容器におけるノズル洗浄器の説明図である。
【図１２】ａ、ｂは従来の２剤吐出容器における内部洗浄可能なノズルのバリエーション説明図である。
【図１３】従来の２剤吐出容器における内部洗浄可能なノズル紹介図である。
【符号の説明】
１  ；  ２剤吐出容器
２ａ、２ｂ  ；  ステム
３  ；  第１容器
４  ；  第２容器
５  ；  ノズル
５ａ  ；  基部
６ａ、６ｂ  ；  挿通口
７  ；  カバー
８  ；  レバー
９  ；  仕切板
１０ａ、１０ｂ  ；  垂下筒
１１  ；  洗浄器
１１ａ  ；  ポンプ部
１１ｂ  ；  流通路
１２  ；  蛇腹
１３  ；  嵌合部
１４  ；  嵌合口
１５ａ、１５ｂ  ；  装着口
１６  ；  管部
１７  ；  ノズル
１７ａ  ；  基部
１８  ；  底
１９  ；  オリフィス部
２０  ；  仕切板
２０′  ；  嵌入溝
２１  ；  上半部
２２  ；  立ち上げ部
２３ａ、２３ｂ  ；  垂下筒
２４  ；  軸受けフック
２５  ；  上、下階区画フロア
２６ａ、２６ｂ  ；  挿通孔
２７  ；  外装カバー
２８  ；  有天筒体
２９  ；  ヒンジ軸
３０  ；  切り欠き
３１  ；  指当て
３２  ；  レバー
３３  ；  縮径段付き部
３４  ；  逃げ用開口
３５  ；  キャップ
３６  ；  アンダーカット
３７  ；  垂下腕
３８ａ、３８ｂ  ；  突起
【図１】
0004538828.tif 000002
【図２】
0004538828.tif 000003
【図３】
0004538828.tif 000004
【図４】
0004538828.tif 000005
【図５】
0004538828.tif 000006
【図６】
0004538828.tif 000007
【図７】
0004538828.tif 000008
【図８】
0004538828.tif 000009
【図９】
0004538828.tif 000010
【図１０】
0004538828.tif 000011
【図１１】
0004538828.tif 000012
【図１２】
0004538828.tif 000013
【図１３】
0004538828.tif 000014